(57)【要約】      （修正有）【課題】簡易な構造で効率良く搬送配管の詰まりを検知する等の保守・管理をすることのできる気流搬送システム用詰まり管理装置および管理方法を提供する。【解決手段】従来の気流搬送システム用詰まり管理装置にかわって、搬送配管の経路の途中に設けられる連通空間Ｈ１と前記連通空間の左右の内壁を貫通して交差する貫通空間Ｈ２とを形成する本体と、前記貫通空間の左右の端部に端面を面して設けられる左右一対の透明部材１２０ａ、１２０ｂと、左右一対の前記透明部材を間に挟む様に左右に分かれて配される発光部１３１ａと受光部１３１ｂとを結ぶ光の軸である光軸を上から見て気流の前記連通空間を流れる方向に交差させる光センサ１３０と、を備え、前記受光部が一定時間を越えて連続して受光できないとき搬送配管に詰まりが発生したと判断する。【選択図】図４
2020083556.tif 000002
【特許請求の範囲】
【請求項１】
固体を気流により搬送配管を通して気流搬送できる気流搬送システムに用いる気流搬送システム用詰まり管理装置であって、
搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、
前記貫通空間の左右の端部に一方の端面である一方端面を面して設けられる透明な部材である左右一対の透明部材と、
左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、
前記貫通空間に補助的な気流である補助気流を供給する補助気流供給機器と、
を備え、
前記受光部が前記発光部から出る光を一定時間を越えて連続して受光できないとき搬送配管に詰まりが発生したと判断する、
ことを特徴とする気流搬送システム用詰まり管理装置。
【請求項２】
前記補助気流供給機器が、左右一対の前記透明部材の前記貫通空間に面する端面の位置する箇所から前記貫通空間に補助的な気流である補助気流を各々に供給する、
ことを特徴とする請求項１に記載の気流搬送システム用詰まり管理装置。
【請求項３】
前記透明部材が上から見て気流の前記連通空間を流れる方向に交差する中心軸をもつ柱状形状を有し、
前記光センサの前記光軸は前記柱状形状の前記中心軸に平行または一致する、
ことを特徴とする請求項２に記載の気流搬送システム用詰まり管理装置。
【請求項４】
前記透明部材が上から見て気流の前記連通空間を流れる方向に交差する中心軸をもつ幅寸法より長さ寸法の長い柱状形状を有する、
ことを特徴とする請求項３に記載の気流搬送システム用詰まり管理装置。
【請求項５】
気流が前記連通空間の前記貫通空間が交差する箇所で水平または斜めに流れる様に管理装置本体が搬送配管の経路の途中に設けられ、
前記光センサの前記光軸が前記連通空間の下半分の空間を通る様になった、
こと特徴とする請求項４に記載の気流搬送システム用詰まり管理装置。
【請求項６】
気流が前記連通空間の前記貫通空間が交差する箇所で斜め上に流れる様に管理装置本体が搬送配管の経路の途中に設けられ、
前記光センサの前記光軸が前記連通空間の下半分の空間を通る様になった、
こと特徴とする請求項５に記載の気流搬送システム用詰まり管理装置。
【請求項７】
搬送配管に詰まりが発生したと判断したとき前記連通空間を流れる気流の風量を一時的に上げる、
ことを特徴とする請求項６に記載の気流搬送システム用詰まり管理装置。
【請求項８】
固体を気流により搬送配管を通して気流搬送できる気流搬送システムに用いる気流搬送システム用詰まり管理装置であって、
搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、
前記貫通空間の左右の端部に一方の端面である一方端面を面して設けられる透明な部材である左右一対の透明部材と、
前記貫通空間の左右の端部に一方の端面である一方端面を面して設けられる透明な部材である左右一対の透明部材と、
左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、
を備え、
前記透明部材が上から見て気流の前記連通空間を流れる方向に交差する中心軸をもつ柱状形状を有し、
前記光センサの前記光軸は前記柱状形状の前記中心軸に平行または一致し、
前記受光部が前記発光部から出る光を一定時間を越えて連続して受光できないとき搬送配管に詰まりが発生したと判断する、
ことを特徴とする気流搬送システム用詰まり管理装置。
【請求項９】
前記透明部材が上から見て気流の前記連通空間を流れる方向に交差する中心軸をもつ幅寸法より長さ寸法の長い柱状形状を有する、
ことを特徴とする請求項８に記載の気流搬送システム用詰まり管理装置。
【請求項１０】
気流が前記連通空間の前記貫通空間が交差する箇所で水平または斜めに流れる様に管理装置本体が搬送配管の経路の途中に設けられ、
前記光センサの前記光軸が前記連通空間の下半分の空間を通る様になった、
こと特徴とする請求項８に記載の気流搬送システム用詰まり管理装置。
【請求項１１】
気流が前記連通空間の前記貫通空間が交差する箇所で斜め上に流れる様に管理装置本体が搬送配管の経路の途中に設けられ、
前記光センサの前記光軸が前記連通空間の下半分の空間を通る様になった、
こと特徴とする請求項８に記載の気流搬送システム用詰まり管理装置。
【請求項１２】
搬送配管に詰まりが発生したと判断したとき前記連通空間を流れる気流の風量を一時的に上げる、
ことを特徴とする請求項８に記載の気流搬送システム用詰まり管理装置。
【請求項１３】
固体を気流により搬送配管を通して気流搬送できる気流搬送システムに用いる気流搬送システム用詰まり管理方法であって、
固体を気流により搬送配管を通して気流搬送できる気流搬送システムに用いる気流搬送システム用詰まり管理装置を準備する準備工程と、
詰まり判断工程と、
を備え、
搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、
前記貫通空間の左右の端部に一方の端面である一方端面を面して設けられる透明な部材である左右一対の透明部材と、
左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、
前記貫通空間に補助的な気流である補助気流を供給する補助気流供給機器と、
を有し、
前記詰まり判断工程が前記受光部が前記発光部から出る光を一定時間を越えて連続して受光できないとき搬送配管に詰まりが発生したと判断する、
ことを特徴とする気流搬送システム用詰まり管理方法。
【請求項１４】
前記補助気流供給機器が、左右一対の前記透明部材の前記貫通空間に面する端面の位置する箇所から前記貫通空間に補助的な気流である補助気流を各々に供給する、
ことを特徴とする請求項１３に記載の気流搬送システム用詰まり管理方法。
【請求項１５】
前記透明部材が上から見て気流の前記連通空間を流れる方向に交差する中心軸をもつ柱状形状を有し、
前記光センサの前記光軸は前記柱状形状の前記中心軸に平行または一致する、
ことを特徴とする請求項１４に記載の気流搬送システム用詰まり管理方法。
【請求項１６】
前記透明部材が上から見て気流の前記連通空間を流れる方向に交差する中心軸をもつ幅寸法より長さ寸法の長い柱状形状を有し、
ことを特徴とする請求項１５に記載の気流搬送システム用詰まり管理方法。
【請求項１７】
気流が前記連通空間の前記貫通空間が交差する箇所で水平または斜めに流れる様に管理装置本体が搬送配管の経路の途中に設けられ、
前記光センサの前記光軸が前記連通空間の下半分の空間を通る様になった、
こと特徴とする請求項１６に記載の気流搬送システム用詰まり管理方法。
【請求項１８】
気流が前記連通空間の前記貫通空間が交差する箇所で斜め上に流れる様に管理装置本体が搬送配管の経路の途中に設けられ、
前記光センサの前記光軸が前記連通空間の下半分の空間を通る様になった、
こと特徴とする請求項１７に記載の気流搬送システム用詰まり管理方法。
【請求項１９】
詰まり判断工程が、搬送配管に詰まりが発生したと判断したとき前記連通空間を流れる気流の風量を一時的に上げる、
ことを特徴とする請求項１３に記載の気流搬送システム用詰まり管理装置。
【請求項２０】
固体を気流により搬送配管を通して気流搬送できる気流搬送システムに用いる気流搬送システム用詰まり管理方法であって、
固体を気流により搬送配管を通して気流搬送できる気流搬送システムに用いる気流搬送システム用詰まり管理装置を準備する準備工程と、
詰まり判断工程と、
を備え、
気流搬送システム用詰まり管理装置が、
搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、
前記貫通空間の左右の端部に一方の端面である一方端面を面して設けられる透明な部材である左右一対の透明部材と、
左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、
を有し、
前記透明部材が上から見て気流の前記連通空間を流れる方向に交差する中心軸をもつ柱状形状を有し、
前記光センサの前記光軸は前記柱状形状の前記中心軸に平行または一致し、
詰まり判断工程が、前記受光部が前記発光部から出る光を一定時間を越えて連続して受光できないとき搬送配管に詰まりが発生したと判断する、
ことを特徴とする気流搬送システム用詰まり管理方法。
【請求項２１】
前記透明部材が上から見て気流の前記連通空間を流れる方向に交差する中心軸をもつ幅寸法より長さ寸法の長い柱状形状を有する、
ことを特徴とする請求項２０に記載の気流搬送システム用詰まり管理方法。
【請求項２２】
気流が前記連通空間の前記貫通空間が交差する箇所で水平または斜めに流れる様に管理装置本体が搬送配管の経路の途中に設けられ、
前記光センサの前記光軸が前記連通空間の下半分の空間を通る様になった、
こと特徴とする請求項２０に記載の気流搬送システム用詰まり管理方法。
【請求項２３】
気流が前記連通空間の前記貫通空間が交差する箇所で斜め上に流れる様に管理装置本体が搬送配管の経路の途中に設けられ、
前記光センサの前記光軸が前記連通空間の下半分の空間を通る様になった、
こと特徴とする請求項２０に記載の気流搬送システム用詰まり管理方法。
【請求項２４】
搬送配管に詰まりが発生したと判断したとき連通空間を流れる気流の風量を一時的に上げる目詰まり解消工程と、
を備える、
ことを特徴とする請求項２０に記載の気流搬送システム用詰まり管理方法。
【発明の詳細な説明】
【技術分野】
【０００１】
本発明は固体を気流により搬送配管を通して気流搬送できる気流搬送システムに用いる詰まり管理装置と詰まり管理方法とに係る。
【背景技術】
【０００２】
固体を搬送するために、気流搬送システムが用いられる。
気流搬送システムは、搬送配管のなかに流れる気流に随伴して固体を搬送させる。
【０００３】
例えば、プレスによって金属板から所望の形状のパーツを打ち抜くと、残りの切り屑が発生する。
発生した切り屑は、気流搬送システムを用いて所望の箇所に搬送される。
気流搬送システムを用いてプレスからでた切り屑を溜める場所まで搬送する。プレスの設置位置から切り屑を溜める場所までの距離が長いとき、気流搬送システムは気流搬送システム用中継器を搬送配管の途中に設ける。
気流搬送システム用中継器では、搬送配管で送られてきた切り屑と気流とをいったん分離し、分離された切り屑を再度気流に乗せて後流へ送る。
【０００４】
プレスが打ち抜く金属板の板厚、素材または所望の形状は必要に応じてさまざまに変化する。
気流搬送する金属板の板厚、素材または所望の形状は、気流搬送性能に影響を与える。
金属板が搬送配管の途中に滞留して気流配管を詰まらせ、気流搬送性能が悪化する恐れがある。
従って、搬送配管の詰まりが発生する恐れのある箇所に、気流搬送システムに用いる詰まり管理装置を設け、搬送配管の詰まりを検知する等の保守・管理をすることが望まれる。
搬送配管の詰まりを検知するために、光センサを用いることが考えられるが、光センサを用いる装置そのものが詰まったり、損傷するおそれがある。
【発明の概要】
【発明が解決しようとする課題】
【０００５】
本発明は以上に述べた問題点に鑑み案出されたもので、簡易な構造で効率良く搬送配管の詰まりを検知する等の保守・管理をすることのできる気流搬送システム用詰まり管理装置および気流搬送システム用詰まり管理方法を提供しようとする。
【課題を解決するための手段】
【０００６】
上記目的を達成するため、本発明に係る固体を気流により搬送配管を通して気流搬送できる気流搬送システムに用いる気流搬送システム用詰まり管理装置を、搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、前記貫通空間の左右の端部に一方の端面である一方端面を面して設けられる透明な部材である左右一対の透明部材と、左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、を備え、前記受光部が前記発光部から出る光を一定時間を越えて連続して受光できないとき搬送配管に詰まりが発生したと判断する、というものとした。
【０００７】
上記本発明の構成により、管理装置本体が、搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する。左右一対の透明部材が、前記貫通空間の左右の端部に一方の端面である一方端面を面して設けられる透明な部材である。光センサが、左右一対の前記透明部材を間に挟む様に左右に分かれて配される発光部と受光部とを有し該発光部と該受光部とを結ぶ光の軸である光軸を上から見て気流の前記連通空間を流れる方向に交差させる。前記受光部が前記発光部から出る光を一定時間を越えて連続して受光できないとき搬送配管に詰まりが発生したと判断する、
その結果、透明部材が搬送される固体により傷つくことと貫通空間が目詰まりすることを抑制し、安定して搬送配管の目詰まりを検知できる。
【０００８】
以下に、本発明の実施形態に係る気流搬送システム用詰まり管理装置を説明する。本発明は、以下に記載した実施形態のいずれか、またはそれらの中の二つ以上が組み合わされた態様を含む。
【０００９】
前記貫通空間に補助的な気流である補助気流を供給する補助気流供給機器と、を備える。
上記本発明に係る実施形態の構成により、補助気流供給機器が、前記貫通空間に補助的な気流である補助気流を供給する。
その結果、搬送される固体により左右一対の透明部材の貫通空間に面する端面が傷つくのを抑制でき、安定して搬送配管の目詰まりを検知できる。
【００１０】
前記補助気流供給機器が、左右一対の前記透明部材の前記貫通空間に面する端面の位置する箇所から前記貫通空間に補助的な気流である補助気流を各々に供給する。
上記本発明に係る実施形態の構成により、補助気流供給機器が、左右一対の前記透明部材の前記貫通空間に面する端面の位置する箇所から前記貫通空間に補助的な気流である補助気流を各々に供給する。
その結果、搬送される固体により左右一対の透明部材の貫通空間に面する端面が傷つくのを抑制でき、安定して搬送配管の目詰まりを検知できる。
【００１１】
また、前記透明部材が上から見て気流の前記連通空間を流れる方向に交差する中心軸をもつ柱状形状を有し、前記光センサの前記光軸は前記柱状形状の前記中心軸に平行または一致する。
上記本発明に係る実施形態の構成により、前記透明部材が上から見て気流の前記連通空間を流れる方向に交差する中心軸をもつ柱状形状を有する。前記光センサの前記光軸は前記柱状形状の前記中心軸に平行または一致する。
その結果、光軸が柱状形状の透明部材の中心軸またはその平行位置を通過し、安定して搬送配管の目詰まりを検知できる。
【００１２】
また、前記透明部材が上から見て気流の前記連通空間を流れる方向に交差する中心軸をもつ幅寸法より長さ寸法の長い柱状形状を有し、前記光センサの前記光軸は前記柱状形状の前記中心軸に平行または一致する。
上記本発明に係る実施形態の構成により、前記透明部材が上から見て気流の前記連通空間を流れる方向に交差する中心軸をもつ柱状形状を有する。前記光センサの前記光軸は前記柱状形状の前記中心軸に平行または一致する。
その結果、光軸が柱状形状の透明部材の中心軸またはその平行位置を通過し、安定して搬送配管の目詰まりを検知できる。
【００１３】
また、気流が前記連通空間の前記貫通空間が交差する箇所で水平または斜めに流れる様に管理装置本体が搬送配管の経路の途中に設けられ、前記光センサの前記光軸が前記貫通空間の下半分の空間を通る様になった。
上記本発明に係る実施形態の構成により、
気流が前記連通空間の前記貫通空間が交差する箇所で水平または斜めに流れる様に管理装置本体が搬送配管の経路の途中に設けられる。
前記光センサの前記光軸が前記連通空間の下半分の空間を通る様になった。
その結果、搬送配管の下半分の空間に固体が溜まるのを早期に検知でき、安定して搬送配管の目詰まりを検知できる。
【００１４】
また、気流が前記連通空間の前記貫通空間が交差する箇所で斜め上に流れる様に管理装置本体が搬送配管の経路の途中に設けられ、前記光センサの前記光軸が前記貫通空間の下半分の空間を通る様になった。
上記本発明に係る実施形態の構成により、
気流が前記連通空間の前記貫通空間が交差する箇所で斜め上に流れる様に管理装置本体が搬送配管の経路の途中に設けられる。前記光センサの前記光軸が前記連通空間の下半分の空間を通る様になった。
その結果、搬送配管の下半分の空間に固体が溜まるのを早期に検知でき、安定して搬送配管の目詰まりを検知できる。
【００１５】
また、搬送配管に詰まりが発生したと判断したとき搬送配管を流れる気流の風量を一時的に上げる。
上記本発明に係る実施形態の構成により、搬送配管に詰まりが発生したと判断したとき搬送配管を流れる気流の風量を一時的に上げる。
その結果、搬送配管の目詰まりを早期に解消する可能性がある。
【００１６】
上記目的を達成するため、本発明に係る固体を気流により搬送配管を通して気流搬送できる気流搬送システムに用いる気流搬送システム用詰まり管理方法を、固体を気流により搬送配管を通して気流搬送できる気流搬送システムに用いる気流搬送システム用詰まり管理装置を準備する準備工程と、詰まり判断工程と、を備え、気流搬送システム用詰まり管理装置が、搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する管理装置本体と、前記貫通空間の左右の端部に一方の端面である一方端面を面して設けられる透明な部材である左右一対の透明部材と、左右一対の前記透明部材を間に挟む様に左右に分かれて配される発光部と受光部とを有し該発光部と該受光部とを結ぶ光の軸である光軸を上から見て気流の前記連通空間を流れる方向に交差させる光センサと、を有し、前記詰まり判断工程が前記受光部が前記発光部から出る光を一定時間を越えて連続して受光できないとき搬送配管に詰まりが発生したと判断する、ものとした。
【００１７】
上記本発明の構成により、管理装置本体が、搬送配管の経路の途中に設けられ視線を気流の流れに沿って見て前方および後方で搬送配管に連通する空間である連通空間と前記連通空間の左右の内壁を貫通して前記連通空間と交差する空間である貫通空間とを形成する。左右一対の透明部材が、前記貫通空間の左右の端部に一方の端面である一方端面を面して設けられる透明な部材である。光センサが、左右一対の前記透明部材を間に挟む様に左右に分かれて配される発光部と受光部とを有し該発光部と該受光部とを結ぶ光の軸である光軸を上から見て気流の前記連通空間を流れる方向に交差させる。前記受光部が前記発光部から出る光を一定時間を越えて連続して受光できないとき搬送配管に詰まりが発生したと判断する。
その結果、透明部材が搬送される固体により傷つくことと貫通空間が目詰まりすることを抑制し、安定して搬送配管の目詰まりを検知できる。
【００１８】
以下に、本発明の実施形態に係る気流搬送システム用詰まり管理方法を説明する。本発明は、以下に記載した実施形態のいずれか、またはそれらの中の二つ以上が組み合わされた態様を含む。
【００１９】
前記貫通空間に補助的な気流である補助気流を供給する補助気流供給機器と、を備える。
上記本発明に係る実施形態の構成により、補助気流供給機器が、前記貫通空間に補助的な気流である補助気流を供給する。
その結果、搬送される固体により左右一対の透明部材の貫通空間に面する端面が傷つくのを抑制でき、安定して搬送配管の目詰まりを検知できる。
【００２０】
前記補助気流供給機器が、左右一対の前記透明部材の前記貫通空間に面する端面の位置する箇所から前記貫通空間に補助的な気流である補助気流を各々に供給する。
上記本発明に係る実施形態の構成により、補助気流供給機器が、左右一対の前記透明部材の前記貫通空間に面する端面の位置する箇所から前記貫通空間に補助的な気流である補助気流を各々に供給する。
その結果、搬送される固体により左右一対の透明部材の貫通空間に面する端面が傷つくのを抑制でき、安定して搬送配管の目詰まりを検知できる。
【００２１】
また、前記透明部材が上から見て気流の前記連通空間を流れる方向に交差する中心軸をもつ柱状形状を有し、前記光センサの前記光軸は前記柱状形状の前記中心軸に平行または一致する。
上記本発明に係る実施形態の構成により、前記透明部材が上から見て気流の前記連通空間を流れる方向に交差する中心軸をもつ柱状形状を有する。前記光センサの前記光軸は前記柱状形状の前記中心軸に平行または一致する。
その結果、光軸が柱状形状の透明部材の中心軸またはその平行位置を通過し、安定して搬送配管の目詰まりを検知できる。
【００２２】
また、前記透明部材が上から見て気流の前記連通空間を流れる方向に交差する中心軸をもつ幅寸法より長さ寸法の長い柱状形状を有し、前記光センサの前記光軸は前記柱状形状の前記中心軸に平行または一致する。
上記本発明に係る実施形態の構成により、前記透明部材が上から見て気流の前記連通空間を流れる方向に交差する中心軸をもつ幅寸法より長さ寸法の長い柱状形状を有する。前記光センサの前記光軸は前記柱状形状の前記中心軸に平行または一致する。
その結果、光軸が柱状形状の透明部材の中心軸またはその平行位置を通過し、安定して搬送配管の目詰まりを検知できる。
【００２３】
また、気流が前記連通空間の前記貫通空間が交差する箇所で水平または斜めに流れる様に管理装置本体が搬送配管の経路の途中に設けられ、前記光センサの前記光軸が前記貫通空間の下半分の空間を通る様になった。
上記本発明に係る実施形態の構成により、気流が前記連通空間の前記貫通空間が交差する箇所で水平または斜めに流れる様に管理装置本体が搬送配管の経路の途中に設けられる。前記光センサの前記光軸が前記連通空間の下半分の空間を通る様になった。
その結果、搬送配管の下半分の空間に固体が溜まるのを早期に検知でき、安定して搬送配管の目詰まりを検知できる。
【００２４】
また、気流が前記連通空間の前記貫通空間が交差する箇所で斜め上に流れる様に管理装置本体が搬送配管の経路の途中に設けられ、前記光センサの前記光軸が前記貫通空間の下半分の空間を通る様になった。
上記本発明に係る実施形態の構成により、気流が前記連通空間の前記貫通空間が交差する箇所で斜め上に流れる様に管理装置本体が搬送配管の経路の途中に設けられる。前記光センサの前記光軸が前記連通空間の下半分の空間を通る様になった。
その結果、搬送配管の下半分の空間に固体が溜まるのを早期に検知でき、安定して搬送配管の目詰まりを検知できる。
【００２５】
また、搬送配管に詰まりが発生したと判断したとき搬送配管を流れる気流の風量を一時的に上げる目詰まり解消工程と、を備える。
上記本発明に係る実施形態の構成により、目詰まり解消工程が、搬送配管に詰まりが発生したと判断したとき搬送配管を流れる気流の風量を一時的に上げる。
その結果、搬送配管の目詰まりを早期に解消する可能性がある。
【発明の効果】
【００２６】
以上説明したように本発明に係る  気流搬送システム用詰まり管理装置は、その手順と構成により、以下の効果を有する。
前方および後方で搬送配管に連通する連通空間の内壁を貫通して交差する貫通空間の両サイドに左右一対の透明部材を配し、左右一対の透明部材を間に挟む様に左右に分かれて発光部と発光部の発光する光をうける受光部とを連通空間を流れる気流を挟む様に配し、前記受光部が前記発光部から出る光を一定時間を越えて連続して受光できないとき搬送配管に詰まりが発生したと判断する様にしたので、透明部材が搬送される固体により傷つくことと貫通空間が目詰まりすることを抑制し、安定して搬送配管の目詰まりを検知できる。
また、前記貫通空間に補助的な気流である補助気流を供給する様にしたので、搬送される固体により左右一対の透明部材の貫通空間に面する端面が傷つくのを抑制でき、安定して搬送配管の目詰まりを検知できる。
また、左右一対の前記透明部材の前記貫通空間に面する端面の位置する箇所から前記貫通空間に補助的な気流である補助気流を各々に供給する様にしたので、搬送される固体により左右一対の透明部材の貫通空間に面する端面が傷つくのを抑制でき、安定して搬送配管の目詰まりを検知できる。
また、透明部材のもつ柱状形状の中心軸を上から見て気流の前記連通空間を流れる方向に交差させ、前記光センサの前記光軸を中心軸に平行または一致する様にしたので、光軸が柱状形状の透明部材の中心軸またはその平行位置を通過し、安定して搬送配管の目詰まりを検知できる。
また、透明部材のもつ幅寸法より長さ寸法の長い柱状形状の中心軸を上から見て気流の前記連通空間を流れる方向に交差させ、前記光センサの前記光軸を中心軸に平行または一致する様にしたので、光軸が柱状形状の透明部材の中心軸またはその平行位置を通過し、安定して搬送配管の目詰まりを検知できる。
また、気流が前記連通空間の前記貫通空間が交差する箇所で水平または斜めに流れる様に管理装置本体が搬送配管の経路の途中に設けられ、前記光センサの前記光軸が前記連通空間の下半分の空間を通る様にしたので、搬送配管の下半分の空間に固体が溜まるのを早期に検知でき、安定して搬送配管の目詰まりを検知できる。
また、気流が前記連通空間の前記貫通空間が交差する箇所で斜め上に流れる様に管理装置本体が搬送配管の経路の途中に設けられ、前記光センサの前記光軸が前記連通空間の下半分の空間を通る様にしたので、搬送配管の下半分の空間に固体が溜まるのを早期に検知でき、安定して搬送配管の目詰まりを検知できる。
また、搬送配管に詰まりが発生したと判断したとき搬送配管を流れる気流の風量を一時的に上げる様にしたので、搬送配管の目詰まりを早期に解消する可能性がある。
【００２７】
以上説明したように本発明に係る  気流搬送システム用詰まり管理方法は、その手順と構成により、以下の効果を有する。
前方および後方で搬送配管に連通する連通空間の左右の内壁を貫通し連通空間に交差する貫通空間の両サイドに左右一対の透明部材を配し、左右一対の透明部材を間に挟む様に左右に分かれて発光部と発光部の発光する光をうける受光部とを連通空間を流れる気流を挟む様に配し、前記受光部が前記発光部から出る光を一定時間を越えて連続して受光できないとき搬送配管に詰まりが発生したと判断する様にしたので、
透明部材が搬送される固体により傷つくことと貫通空間が目詰まりすることを抑制し、安定して搬送配管の目詰まりを検知できる。
また、前記貫通空間に補助的な気流である補助気流を供給する様にしたので、搬送される固体により左右一対の透明部材の貫通空間に面する端面が傷つくのを抑制でき、安定して搬送配管の目詰まりを検知できる。
また、左右一対の前記透明部材の前記貫通空間に面する端面の位置する箇所から前記貫通空間に補助的な気流である補助気流を各々に供給する様にしたので、搬送される固体により左右一対の透明部材の貫通空間に面する端面が傷つくのを抑制でき、安定して搬送配管の目詰まりを検知できる。
また、透明部材のもつ柱状形状の中心軸を上から見て気流の前記連通空間を流れる方向に交差させ、前記光センサの前記光軸を中心軸に平行または一致する様にしたので、光軸が柱状形状の透明部材の中心軸またはその平行位置を通過し、安定して搬送配管の目詰まりを検知できる。
また、透明部材のもつ幅寸法より長さ寸法の長い柱状形状の中心軸を上から見て気流の前記連通空間を流れる方向に交差させ、前記光センサの前記光軸を中心軸に平行または一致する様にしたので、光軸が柱状形状の透明部材の中心軸またはその平行位置を通過し、安定して搬送配管の目詰まりを検知できる。
また、気流が前記連通空間の前記貫通空間が交差する箇所で水平または斜めに流れる様に管理装置本体が搬送配管の経路の途中に設けられ、前記光センサの前記光軸が前記連通空間の下半分の空間を通る様にしたので、搬送配管の下半分の空間に固体が溜まるのを早期に検知でき、安定して搬送配管の目詰まりを検知できる。
また、気流が前記連通空間の前記貫通空間が交差する箇所で斜め上に流れる様に管理装置本体が搬送配管の経路の途中に設けられ、前記光センサの前記光軸が前記連通空間の下半分の空間を通る様にしたので、搬送配管の下半分の空間に固体が溜まるのを早期に検知でき、安定して搬送配管の目詰まりを検知できる。
また、搬送配管に詰まりが発生したと判断したとき搬送配管を流れる気流の風量を一時的に上げる様にしたので、搬送配管の目詰まりを早期に解消する可能性がある。
従って、簡易な構造で効率良く搬送配管の詰まりを検知する気流搬送システム用詰まり管理装置および気流搬送システム用詰まり管理方法を提供できる。
【図面の簡単な説明】
【００２８】
【図１】本発明の実施形態に係る気流搬送システムの全体図である。
【図２】本発明の実施形態に係る気流搬送システムの部分図である。
【図３】本発明の実施形態に係る気流搬送システム用詰まり管理装置の全体図である。
【図４】本発明の実施形態に係る気流搬送システム用詰まり管理装置の断面図である。
【図５】本発明の実施形態に係る気流搬送システム用詰まり管理方法のフローチャート図である。
【発明を実施するための形態】
【００２９】
以下、本発明を実施するための形態を、説明する。
最初に、本発明の実施形態にかかる気流搬送システムを、図を基に、説明する。
図１は、本発明の実施形態に係る気流搬送システムの全体図である。図２は、本発明の実施形態に係る気流搬送システムの部分図である。
【００３０】
本発明の実施形態に係る気流搬送システムは、固体発生源４０と搬送配管５０と詰まり管理装置１００とで構成される。
本発明の実施形態に係る気流搬送システムは、固体発生源４０と搬送配管５０と固体バケット７０と詰まり管理装置１００とで構成されてもよい。
本発明の実施形態に係る気流搬送システムは、固体発生源４０と搬送配管５０と中継器８０と固体バケット７０と詰まり管理装置１００とで構成されてもよい。
本発明の実施形態に係る気流搬送システムは、固体発生源４０と搬送配管５０と中継器８０とメインブースター６０と固体バケット７０と詰まり管理装置１００で構成されてもよい。
本発明の実施形態に係る気流搬送システムは、固体発生源４０と搬送配管５０と複数の中継器８０とメインブースター６０と固体バケット７０と詰まり管理装置１００で構成されてもよい。
本発明の実施形態に係る気流搬送システムは、固体発生源４０と搬送配管５０と複数の中継器８０とメインブースター６０と固体バケット７０とサブブースター９０と詰まり管理装置１００で構成されてもよい。
本発明の実施形態に係る気流搬送システムは、固体発生源４０と搬送配管５０と複数の中継器８０とメインブースター６０と固体バケット７０とサブブースター９０と詰まり管理装置１００で制御装置Ｃとで構成されてもよい。
【００３１】
固体発生源４０は、固体を発生させる発生源である。
固体は、製品そのもの、製品の部品、製品を作ったあとの屑、等である。
例えば、固体発生源４０は固体を下流に流す源となる貯蔵器である。
例えば、固体発生源４０は固体を下流に流すため一時的に貯留するバケットである。
例えば、固体発生源４０は、板材等を打ち抜いて製品を発生させるプレス、等である。
例えば、固体発生源４０は、切り屑を発生させる切り屑発生源である。
例えば、切り屑発生源は、プレス、破砕機、等である。
プレスは、金属板をダイで打ち抜いて必要な製品を作る。金属板から必要な製品を抜いた残りの部分が切り屑になる。
メインブースター６０が金型の下に配置される。
切り屑３０がメインブースター６０のブースター本体の中に落ちる。
または、製品がメインブースター６０のブースター本体の中に落ちる。
ノズルが、ブースター本体の中に気体を吹き込む。
切り屑３０が気流に乗って後流の搬送配管５０に送られる。
または、製品が気流に乗って後流の搬送配管５０に送られる。
【００３２】
搬送配管５０は、内部に気流を流して、固体を搬送する配管である。
例えば、搬送配管５０は、内部に気流を流して、切り屑３０を搬送する配管である。
搬送配管５０は、メインブースター６０の後流に配される。
切り屑３０は、気流に乗って搬送配管５０の中を送られる。
搬送配管５０は、固体発生源４０と固体バケット７０との間に配され、固体発生源４０から固体バケット７０へ切り屑３０を送る。
【００３３】
中継器８０が、搬送配管５０の経路の途中に設けられる。
中継器８０は、固体を気流により気流搬送できる気流搬送システムに用いる中継器である。
例えば、中継器８０は、切り屑３０を気流により気流搬送できる気流搬送システムに用いる中継器である。
中継器８０とサブブースター９０とが搬送配管５０の経路の途中に設けられてもよい。
複数の中継器８０と複数のサブブースター９０とが搬送配管５０の経路の途中に設けられてもよい。
【００３４】
固体バケット７０は、気流搬送システムで送られてきた固体を溜める容器である。
例えば、固体バケット７０は、気流搬送システムで送られてきた切り屑３０を溜める容器である。
制御装置Ｃは、気流搬送システムを制御する。
【００３５】
詰まり管理装置１００は、固体を気流により搬送配管５０を通して気流搬送できる気流搬送システムに用いる装置である。  
以下に、本発明の実施形態にかかる詰まり管理装置１００を、図を基に、説明する。
図３は、本発明の実施形態に係る気流搬送システム用詰まり管理装置の全体図である。図４は、本発明の実施形態に係る気流搬送システム用詰まり管理装置の断面図である。
【００３６】
本発明の実施形態にかかる詰まり管理装置１００は、管理装置本体１１０と左右一対の透明部材１２０と光センサ１３０とで構成される。
本発明の実施形態にかかる詰まり管理装置１００は、管理装置本体１１０と左右一対の透明部材１２０と光センサ１３０と補助気流供給機器１４０とで構成されてもよい。
【００３７】
管理装置本体１１０は、搬送配管５０の経路のうち水平に延びる経路を構成する搬送配管５０に設けられてもよい。
管理装置本体１１０は、搬送配管５０の経路のうち斜めに延びる経路を構成する搬送配管５０に設けられてもよい。
管理装置本体１１０は、搬送配管５０の経路のうち斜め上に延びる経路を構成する搬送配管５０に設けられてもよい。
管理装置本体１１０は、連通空間Ｈ１と貫通空間Ｈ２とを形成する。
連通空間Ｈ１は、搬送配管５０の経路の途中に設けられ視線を気流の流れに沿って見て前方および後方で搬送配管５０に連通する空間である。
連通空間Ｈ１は、搬送配管５０の経路の途中に設けられ視線を気流の流れに沿って見て搬送配管５０の内壁に滑らかに繋がる内壁をもち前方および後方で搬送配管５０に連通する空間であってもよい。
連通空間Ｈ１は、搬送配管５０の経路の途中に設けられ視線を気流の流れに沿って見て搬送配管５０の内壁と同一輪郭の内壁をもち前方および後方で搬送配管５０に連通する空間であってもよい。
貫通空間Ｈ２は、連通空間Ｈ１の左右の内壁を貫通して連通空間Ｈ１に交差する空間である。
貫通空間Ｈ２は、発光側貫通空間と受光側貫通空間とで構成される。
発光側貫通空間は、後述する光センサ１３０の発光部１３１ａの設けられる側にある貫通空間の部分である。
受光側貫通空間は、後述する光センサ１３０の受光部１３１ｂの設けられる側にある貫通空間の部分である。
【００３８】
左右一対の透明部材１２０は、一方の端面と他方の端面とをもつ光を通す部材である。
左右一対の透明部材１２０は、貫通空間Ｈ２の左右の端部に一方の端面である一方端面を面して設けられる透明な部材である。
透明部材１２０が上から見て気流の連通空間を流れる方向に交差する中心軸をもつ柱状形状を有してもよい。
透明部材１２０が上から見て気流の連通空間を流れる方向に直交する中心軸をもつ柱状形状を有してもよい。
透明部材１２０が上から見て気流の連通空間を流れる方向に交差する中心軸をもつ幅寸法より長さ寸法の長い柱状形状を有してもよい。
透明部材１２０が上から見て気流の連通空間を流れる方向に直交する中心軸をもつ幅寸法より長さ寸法の長い柱状形状を有してもよい。
例えば、透明部材１２０は、透明樹脂製の柱状の部材である。
例えば、透明部材１２０は、透明樹脂製の円柱形状をもつ部材である。
左右一対の透明部材１２０は、発光側透明部材１２０ａと受光側透明部材１２０ｂとで構成される。
発光側透明部材１２０ａは、平面形状の一方の端面と平面形状の他方の端面とを持つ。
発光側透明部材１２０ａの平面形状の一方の端面と平面形状の他方の端面とが平行であってもよい。
受光側透明部材１２０ｂは、平面形状の一方の端面と平面形状の他方の端面とを持つ。
受光側透明部材１２０ｂの平面形状の一方の端面と平面形状の他方の端面とが平行であってもよい。
発光側透明部材１２０ａは、後述する光センサ１３０の発光部１３１ａと貫通空間Ｈ２の一方の端部との間に固定される。
受光側透明部材１２０ｂは、後述する光センサ１３０の受光部１３１ｂと貫通空間Ｈ２の他方の端部との間に固定される。
発光側透明部材１２０ａの平面形状の一方の端面と平面形状の他方の端面と受光側透明部材１２０ｂの平面形状の一方の端面と平面形状の他方の端面とが平行であってもよい。
発光側透明部材１２０ａと受光側透明部材１２０ｂとは、管理装置本体１１０にシール部材１２１ａ、１２１ｂで各々に固定される。
例えば、シール部材１２１ａ、１２１ｂはＯリングである。
後述する光センサ１３０の光軸Ｌは、柱状形状の中心軸に平行または一致する。
後述する光センサ１３０の光軸Ｌは、発光側透明部材１２０ａの平面形状の一方の端面と平面形状の他方の端面と受光側透明部材１２０ｂの平面形状の一方の端面と平面形状の他方の端面とに直交してもよい。
ここで、光軸Ｌは、発光部１３１ａと受光部１３１ｂとを結ぶ仮想の軸線である。
発光側シール部材１２１ａが、発光側透明部材１２０ａをシールする。
受光側シール部材１２１ｂが、受光側透明部材１２０ｂをシールする。
【００３９】
光センサ１３０は、左右一対の透明部材１２０ａ、１２０ｂを間に挟む様に左右に分かれて配される発光部１３１ａと受光部１３１ｂとを有し、発光部１２０ａと受光部１２０ｂとを結ぶ光の軸である光軸Ｌを上から見て気流の連通空間Ｈ１を流れる方向に交差させる。
光センサ１３０は、左右一対の透明部材１２０ａ、１２０ｂを間に挟む様に左右に分かれて配される発光部１３１ａと受光部１３１ｂとを有し、発光部１２０ａと受光部１２０ｂとを結ぶ光の軸である光軸Ｌを上から見て気流の連通空間Ｈ１を流れる方向に直交させてもよい。
発光部１３１ａと受光部１３１ｂとは、発光側光センサ固定具１３３ａとと受光側光センサ固定具１３３ｂにより管理装置本体１１０に固定される。
発光側光センサケーブル１３２ａが発光部１３１ａから引き出される。
受光側光センサケーブル１３２ｂが受光部１３１ｂから引き出される。
発光部１３１ａから発光した光は、発光部１３１ａの側に設けられた透明部材１２０ａを透過し、貫通空間Ｈ２の一方の端面から連通空間Ｈ２に入り、連通空間Ｈ１を通過し、貫通空間Ｈ２の他方の端面から連通空間Ｈ２から出て、受光部１３１ｂの側に設けられた透明部材１２０ａを透過し、受光部１３１ｂに到達する。
切り屑が連通空間Ｈ１に詰まると、発光部１３１ａから発光した光は、受光部１３１ｂに届かない。
【００４０】
気流が連通空間Ｈ１の貫通空間Ｈ２が交差する箇所で水平に流れる様に管理装置本体１１０が搬送配管５０の経路の途中に設けられてもよい。
気流が連通空間Ｈ１の貫通空間Ｈ２が交差する箇所で斜めに流れる様に管理装置本体１１０が搬送配管５０の経路の途中に設けられてもよい。
気流が連通空間Ｈ１の貫通空間Ｈ２が交差する箇所で斜め上に流れる様に管理装置本体１１０が搬送配管５０の経路の途中に設けられてもよい。
光センサ１３０の光軸Ｌが、連通空間Ｈ１の下側の空間を通る様になってもよい。
光センサ１３０の光軸Ｌが、連通空間Ｈ１の下半分の空間を通る様になってもよい。
ここで、連通空間Ｈ１の下半分の空間とは、視線を気流の流れに沿って見て、連通空間Ｈ１の輪郭の図心より下側の空間であってもい。
例えば、視線を気流の流れに沿って見て、連通空間Ｈ１の輪郭が円の場合、連通空間Ｈ１の下半分の空間とは、連通空間Ｈ１の輪郭の下側の半円の部分である。
【００４１】
補助気流供給機器１４０が、貫通空間に補助的な気流である補助気流を供給する機器である。
補助気流は一般にパージガスと呼称される。
補助気流供給機器１４０が、左右一対の透明部材１２０ａ、１２０ｂの貫通空間Ｈ２に面する端面の位置する箇所から貫通空間Ｈ２に補助的な気流である補助気流を各々に供給してもよい。
補助気流供給機器１４０が、発光側送気ポート１４１ａと受光側送気ポート１４１ｂと
送気ライン１４２とブロワー１４３とで構成される。
発光側送気ポート１４１ａが、管理装置本体１１０の発光側透明部材１２０ａの貫通空間Ｈ２に面する一方の端面のある位置に設けられる。
受光側送気ポート１４１ｂが、管理装置本体１１０の受光側透明部材１２０ｂの貫通空間Ｈ２に面する端面の位置する箇所に設けられる。
送気ライン１４２が、ブロワー１４３と発光側送気ポート１４１ａと受光側送気ポート１４１ｂとを繋ぐラインである。
ブロワー１４３が、管理装置本体１１０に設けられる発光側送気ポート１４１ａと受光側送気ポート１４１ｂとを通過して貫通空間Ｈ２に送気する
【００４２】
受光部が発光部から出る光を一定時間を越えて連続して受光できないとき搬送配管５０に詰まりが発生したと判断する。
一定時間は、予め設定できてもよい。
【００４３】
搬送配管５０に詰まりが発生したと判断したとき、搬送配管５０を流れる気流の風量を一時的に上げてもよい。
一時的に上げる風量は、予め設定できてもよい。
例えば、搬送配管５０に詰まりが発生したと判断したとき、連通空間Ｈ１の上流にある直近のブースターの風量を上げて、搬送配管５０を流れる気流の風量を一時的に上げてもよい。
例えば、搬送配管５０に詰まりが発生したと判断したとき、補助気流供給機器の風量を上げて、搬送配管５０を流れる気流の風量を一時的に上げてもよい。
【００４４】
次に、本発明の実施形態にかかる気流搬送システム用詰まり管理方法を、図を基に説明する。
図５は、本発明の実施形態に係る気流搬送システム用詰まり管理方法のフローチャート図である。
本発明の実施形態にかかる気流搬送システム用詰まり管理方法は、準備工程Ｓ１０と詰まり検知工程Ｓ２０と詰まり解消工程Ｓ３０と解体除去工程Ｓ４０とで構成される。
【００４５】
準備工程Ｓ１０は、気流搬送システム用詰まり管理装置を準備する工程である。
気流搬送システム用詰まり管理装置の構成は、本発明の実施形態に係る気流搬送システム用詰まり管理装置の記載で説明したものなので、説明を省略する。
【００４６】
詰まり検知工程Ｓ２０は、受光部が発光部から出る光を一定時間を越えて連続して受光できないとき搬送配管５０に詰まりが発生したと判断する工程である。
【００４７】
詰まり解消工程Ｓ３０は、搬送配管５０に詰まりが発生したと判断したとき連通空間Ｈ１を流れる気流の風量を一時的に上げる工程である。
例えば、詰まり検知工程Ｓ２０で搬送配管５０に詰まりが発生したと判断したとき、連通空間Ｈ１の上流の直近のブースターの風量を一時的に上げて、搬送配管５０を流れる気流の風量を一時的に上げてもよい。
例えば、搬送配管５０に詰まりが発生したと判断したとき、補助気流供給機器の風量を一時的に上げて、搬送配管５０を流れる気流の風量を一時的に上げてもよい。
詰まり検知工程Ｓ２０と詰まり解消工程Ｓ３０とを実行しても、詰まり検知工程Ｓ２０が詰まりが発生したと判断するとき、解体除去工程Ｓ４０を実行する。
詰まり検知工程Ｓ２０と詰まり解消工程Ｓ３０とを所定回数だけ実行しても、詰まり検知工程Ｓ２０が詰まりが発生したと判断するとき、解体除去工程Ｓ４０を実行する。
所定回数は、予め設定できてもよい。
【００４８】
解体除去工程Ｓ４０は、搬送配管５０を解体して、詰まった固体を除去し、詰まりを解除する工程である。
詰まりを解除すると、搬送配管５０を元にもどす。
【００４９】
上述の実施形態に係る気流搬送システム用詰まり管理装置を用いれば、以下の効果を発揮する。
前方および後方で搬送配管５０に連通する連通空間Ｈ１の内壁を貫通して交差する貫通空間Ｈ２の両サイドに左右一対の透明部材１２０を配し、左右一対の透明部材１２０を間に挟む様に左右に分かれて発光部１３１ａと発光部１３１ａの発光する光をうける受光部１３１ｂとを連通空間Ｈ１を流れる気流を挟む様に配し、受光部１３１ｂが発光部１３１ａから出る光を一定時間を越えて連続して受光できないとき搬送配管５０に詰まりが発生したと判断する様にしたので、透明部材１２０が搬送される固体により傷つくことと貫通空間Ｈ２が目詰まりすることを抑制し、安定して搬送配管５０の目詰まりを検知できる。
また、貫通空間Ｈ２に両側から補助的な気流である補助気流を各々に供給する様にしたので、固体３０により左右一対の透明部材１２０の貫通空間に面する端面が傷つくのを抑制でき、安定して搬送配管５０の目詰まりを検知できる。
また、左右一対の透明部材１２０の一方端面の位置する箇所から貫通空間Ｈ２に補助的な気流である補助気流を各々に供給する様にしたので、搬送される固体により左右一対の透明部材１２０の貫通空間に面する端面が傷つくのを抑制でき、安定して搬送配管５０の目詰まりを検知できる。
また、透明部材１２０のもつ柱状形状の中心軸が上から見て気流の連通空間Ｈ１を流れる方向に交差し、光センサ１３０の光軸を中心軸に平行または一致する様にしたので、光軸Ｌが柱状形状の透明部材１２０の中心軸またはその平行位置を通過し、安定して搬送配管５０の目詰まりを検知できる。
また、透明部材１２０のもつ幅寸法より長さ寸法の長い柱状形状の上から見て気流の連通空間Ｈ１を流れる方向に交差し、光センサ１３０の光軸を中心軸に平行または一致する様にしたので、光軸Ｌが柱状形状の透明部材１２０の中心軸またはその平行位置を通過し、安定して搬送配管５０の目詰まりを検知できる。
また、気流が連通空間Ｈ１の貫通空間Ｈ２が交差する箇所で水平または斜めに流れる様に管理装置本体１１０が搬送配管５０の経路の途中に設けられ、光センサ１３０の光軸Ｌが連通空間Ｈ１の下半分の空間を通る様にしたので、搬送配管５０の下半分の空間に固体が溜まるのを早期に検知でき、安定して搬送配管５０の目詰まりを検知できる。
また、気流が連通空間Ｈ１の貫通空間Ｈ２が交差する箇所で斜め上に流れる様に管理装置本体１１０が搬送配管５０の経路の途中に設けられ、光センサ１３０の光軸Ｌが連通空間Ｈ１の下半分の空間を通る様にしたので、搬送配管５０の下半分の空間に固体が溜まるのを早期に検知でき、安定して搬送配管５０の目詰まりを検知できる。
また、搬送配管５０に詰まりが発生したと判断したとき搬送配管５０を流れる気流の風量を一時的に上げる様にしたので、搬送配管５０の目詰まりを早期に解消する可能性がある。
【００５０】
上述の実施形態に係る気流搬送システム用詰まり管理方法を用いれば、以下の効果を発揮する。
前方および後方で搬送配管５０に連通する連通空間Ｈ１の内壁に貫通して交差する貫通空間Ｈ２の両サイドに左右一対の透明部材１２０を配し、左右一対の透明部材１１２０を間に挟む様に左右に分かれて発光部１３１ａと発光部１３１ａの発光する光をうける受光部１３１ｂとを連通空間Ｈ２流れる気流を挟む様に配し、受光部１３１ｂが発光部１３１ａから出る光を一定時間を越えて連続して受光できないとき搬送配管５０に詰まりが発生したと判断する様にしたので、透明部材１２０が搬送される固体により傷つくことと貫通空間が目詰まりすることを抑制し、安定して搬送配管５０の目詰まりを検知できる。
また、貫通空間Ｈ２に両側から補助的な気流である補助気流を各々に供給する様にしたので、搬送される固体により左右一対の透明部材１２０の貫通空間に面する端面が傷つくのを抑制でき、安定して搬送配管５０の目詰まりを検知できる。
また、左右一対の透明部材１２０の一方端面の位置する箇所から貫通空間Ｈ２に補助的な気流である補助気流を各々に供給する様にしたので、搬送される固体により左右一対の透明部材１２０の貫通空間に面する端面が傷つくのを抑制でき、安定して搬送配管５０の目詰まりを検知できる。
また、透明部材１２０のもつ柱状形状の中心軸を上から見て気流の連通空間Ｈ１を流れる方向に交差させ、光センサ１３０の光軸を中心軸に平行または一致する様にしたので、光軸Ｌが柱状形状の透明部材１２０の中心軸またはその平行な位置を通過し、安定して搬送配管５０の目詰まりを検知できる。
また、透明部材のもつ幅寸法より長さ寸法の長い柱状形状の中心軸を上から見て気流の連通空間Ｈ１を流れる方向に交差させ、光センサ１３０の光軸を中心軸に平行または一致する様にしたので、光軸Ｌが柱状形状の透明部材１２０の中心軸またはその平行位置を通過し、安定して搬送配管５０の目詰まりを検知できる。
また、気流が連通空間Ｈ１の貫通空間Ｈ２が交差する箇所で水平または斜めに流れる様に管理装置本体１１０が搬送配管５０の経路の途中に設けられ、光センサ１３０の光軸Ｌが連通空間Ｈ１の下半分の空間を通る様にしたので、搬送配管５０の下半分の空間に固体が溜まるのを早期に検知でき、安定して搬送配管５０の目詰まりを検知できる。
また、気流が連通空間Ｈ１の貫通空間Ｈ２が交差する箇所で斜め上に流れる様に管理装置本体１１０が搬送配管５０の経路の途中に設けられ、光センサ１３０の光軸Ｌが連通空間Ｈ１の下半分の空間を通る様にしたので、搬送配管５０の下半分の空間に固体が溜まるのを早期に検知でき、安定して搬送配管５０の目詰まりを検知できる。
また、搬送配管５０に詰まりが発生したと判断したとき搬送配管５０を流れる気流の風量を一時的に上げる様にしたので、搬送配管５０の目詰まりを早期に解消する可能性がある。
【００５１】
本発明は以上に述べた実施形態に限られるものではなく、発明の要旨を逸脱しない範囲で各種の変更が可能である
【符号の説明】
【００５２】
Ｃ  制御機器
Ｌ  光軸
Ｈ１  連通空間
Ｈ２  貫通空間
３０  固体、切り屑
４０  固体発生源
５０  搬送配管
６０  メインブースター
７０  固体バケット
８０  中継器
９０  サブブースター
１００  詰まり管理装置
１１０  管理装置本体
１２０  透明部材
１２０ａ  発光側透明部材
１２０ｂ  受光側透明部材
１２１ａ  発光側シール部材
１２１ｂ  受光側シール部材
１３０  光センサ
１３１ａ  発光部
１３１ｂ  受光部
１３２ａ  発光側光センサケーブル
１３２ｂ  受光側光センサケーブル
１３３ａ  発光側光センサ固定具
１３３ｂ  受光側光センサ固定具
１４０  補助気流供給機器
１４１ａ  発光側送気ポート
１４１ｂ  受光側送気ポート
１４２  送気ライン
１４３  ブロワー
Ｓ１０  準備工程
Ｓ２０  詰まり検知工程
Ｓ３０  詰まり解消工程
Ｓ４０  解体除去工程
【先行技術文献】
【特許文献】
【００５３】
【特許文献１】特開平１０−２０３６０６
【特許文献２】特開２００１−１７４３９６
【図１】
2020083556.tif 000003
【図２】
2020083556.tif 000004
【図３】
2020083556.tif 000005
【図４】
2020083556.tif 000006
【図５】
2020083556.tif 000007